(57)【特許請求の範囲】
【請求項１】
長尺状であり、長手方向に沿って開口が形成されている器具本体と、
前記開口および前記開口の短手方向に配置された短手開口縁を覆っている外層部が長手方向へ連続した形状である第一の面、前記開口の長手方向に配置された長手開口縁を覆っている第二の面、前記第二の面に設けられ、凹状または凸状に変形している把持部を有し、前記器具本体に着脱可能に取り付けられた光源ユニットと、
を備えたことを特徴とする照明器具。
【請求項２】
前記第一の面と前記第二の面とは、長手方向において連続した形状であることを特徴とする請求項１に記載の照明器具。
【請求項３】
前記第一の面と前記第二の面の少なくともいずれか一方は、前記光源ユニットと前記器具本体とに隙間が生じないように設けられていることを特徴とする請求項１または請求項２のいずれか一項に記載の照明器具。
【請求項４】
前記光源ユニットは、前記第一の面と前記短手開口縁との間に、前記短手開口縁と当接した第一の底部を有していることを特徴とする請求項１から請求項３のいずれか一項に記載の照明器具。
【請求項５】
前記光源ユニットは、前記第二の面と前記長手開口縁との間に、前記長手開口縁と当接した第二の底部を有していることを特徴とする請求項１から請求項４のいずれか一項に記載の照明器具。
【請求項６】
前記光源ユニットは前記器具本体に取り付けられるための取付機構を有し、前記把持部は前記取付機構と隣接するよう前記第一の面に設けられたことを特徴とする請求項１から請求項５のいずれか一項に記載の照明器具。
【請求項７】
前記光源ユニットは、
発光体と、
前記発光体が取り付けられているフレームと、
前記第一の面を有し、前記発光体を覆うように前記フレームに設けられているカバーと、
前記第二の面を有し、前記カバーの長手方向端部を塞いでいる蓋と、
を備えたことを特徴とする請求項１から請求項６のいずれか一項に記載の照明器具。
【発明の詳細な説明】
【技術分野】
【０００１】
本発明は、照明器具に関するものである。
【背景技術】
【０００２】
従来より、長尺状の光源ユニットと、この光源ユニットの一部が挿入される凹部を有する器具本体とを備える照明器具であって、光源ユニットが器具本体に脱着自在に取り付けられている照明器具が提供されている。
【０００３】
例えば、光源ユニットが照射側にカバーを備えている照明器具がある。この照明器具は、光源ユニットが器具本体に取り付けられたときに、カバーの一部が凹部の開口縁と隙間がないように重なることで、光源ユニットを発光させた際に、光源ユニットと器具本体の間が暗くなるのを防ぎ見栄えを良くしている。（例えば、特許文献１参照）
【０００４】
また、カバーの表面に窪みが形成された光源ユニットを備えた照明器具がある。この照明器具は、カバーの表面に窪みが形成されていることで、光源ユニットを脱着するときに掴みやすくなっている。（例えば、特許文献２参照）
【先行技術文献】
【特許文献】
【０００５】
【特許文献１】特開２０１４−０７８５１１号公報
【特許文献２】特開２０１５−１４１７６９号公報
【発明の概要】
【発明が解決しようとする課題】
【０００６】
本発明における照明器具は、長尺状であり、長手方向に沿って開口が形成されている器具本体と、前記開口および前記開口の短手方向に配置された短手開口縁を覆っている外層部が長手方向へ連続した形状である第一の面、前記開口の長手方向に配置された長手開口縁を覆っている第二の面、前記第二の面に設けられ、凹状または凸状に変形している把持部を有し、前記器具本体に着脱可能に取り付けられた光源ユニットと、を備えたことを特徴とするものである。
【０００７】
また、特許文献２に記載の照明器具は、光源ユニットは長尺に形成されており、窪みは長手方向全長に亘って光源ユニットの外層面に設けられている。その為、見栄えが良くないという課題があった。
【０００８】
そこで、本発明は、上記のような課題を解決する為になされたもので、器具本体と光源の脱着が容易にできるとともに、見栄えを向上させる照明器具の提供を目的とする。
【課題を解決するための手段】
【０００９】
本発明における照明器具は、長尺状であり、長手方向に沿って開口が形成されている器具本体と、前記開口および前記開口の短手方向に配置された短手開口縁を覆っている外層部が長手方向へ連続した形状である第一の面、前記開口の長手方向に配置された長手開口縁を覆っている第二の面、前記第一の面と前記第二の面との少なくともいずれか一方に設けられ、前記外層部に対して変形している把持部を有し、前記器具本体に着脱可能に取り付けられた光源ユニットと、を備えたことを特徴とするものである。
【発明の効果】
【００１０】
本発明の照明器具は、器具本体と光源ユニットの脱着が容易にできるとともに、見栄えを向上させることができる。
【図面の簡単な説明】
【００１１】
【図１】実施の形態１における照明器具の斜視図である。
【図２】実施の形態１における照明器具の分解斜視図である。
【図３】実施の形態１における図１に示す照明器具のＡ−Ａ’断面図である。
【図４】実施の形態１における器具本体の斜視図である。
【図５】実施の形態１における図４に示す器具本体のＣ−Ｃ’断面図である。
【図６】実施の形態１におけるバネの斜視図である。
【図７】実施の形態１における光源ユニットの斜視図である。
【図８】実施の形態１における光源ユニットの分解斜視図である。
【図９】実施の形態１における図７に示す光源ユニットのＤ−Ｄ’断面図である。
【図１０】実施の形態１における図７に示すＦ部詳細図である。
【図１１】実施の形態１における連結金具を示す斜視図である。
【図１２】実施の形態１における図１に示す照明器具のＢ−断面図である。
【図１３】実施の形態１における光源ユニットの変形例を示す斜視図である。
【図１４】実施の形態１における光源ユニットの変形例を示す斜視図である。
【図１５】実施の形態１における光源ユニットの変形例を示す斜視図である。
【図１６】実施の形態１における光源ユニットの変形例を示す斜視図である。
【図１７】実施の形態１における光源ユニットの変形例を示す斜視図である。
【図１８】実施の形態１における器具本体の変形例を示す斜視図である。
【図１９】実施の形態２における光源ユニットを示す斜視図である。
【図２０】実施の形態２における図１９に示すＪ部詳細図である。
【図２１】実施の形態２におけるカバーの変形例を示す斜視図である。
【発明を実施するための形態】
【００１２】
実施の形態１.
本発明の実施の形態１に係る照明器具１の説明をする。
図１は本実施の形態における照明器具１の斜視図であり、図２は図１に示す照明器具１の分解斜視図であり、図３は図１に示す照明器具のＡ−Ａ’断面図であり、図４は図１に示す器具本体の斜視図であり、図５は図４に示す器具本体のＣ−Ｃ’断面図であり、図６は図２の示すバネの斜視図であり、図７の（ａ）は図１に示す光源ユニットの斜視図であり、図７の（ｂ）は図７の（ａ）におけるＥ矢視図であり、図８は図７に示す光源ユニットの分解斜視図であり、図９は図７の（ａ）に示す器具本体のＤ−Ｄ’断面図であり、図１０の（ａ）は図７の（ａ）に示すＦ部拡大図であり、図１０の（ｂ）は図１０の（ａ）におけるＧ矢視図であり、図１１は図７の（ａ）に示す連結金具の拡大図であり、図１２は図１に示す照明器具１のＢ−断面図であり、光源ユニットを器具本体に取り付けする取付工程を示した図である。
【００１３】
はじめに、図１から図３を参照して照明器具１の各部の構成を説明する。
照明器具１は、長尺状の器具本体１００と、器具本体１００に着脱可能に取り付けられる長尺状の光源ユニット２００を備えている。器具本体１００は、光源ユニット２００の一部が収容される収容凹部１１０が形成されている。
器具本体１００、光源ユニット２００はいずれも長尺状であり、以下の説明において、長手方向を長手方向Ｘ、長手方向Ｘに対する短手方向を短手方向Ｙとし、長手方向Ｘおよび短手方向Ｙそれぞれに対して直交する方向を上下方向Ｚとする。また、照明器具１が取り付けられる天井などの被取付面側を上方向Ｚ１とし、上方向Ｚ１と反対側であり照明器具１が照射する側を下方向Ｚ２とする。
【００１４】
図４から図５を参照して、器具本体１００の各部の構成を説明する。
器具本体１００は、ボルトなどの固定具を用いて天井などの被取付部に取り付けられるものである。
図４に示すように、器具本体１００は、光源ユニット２００の一部が挿入され取り付けられる取付部１１０と、取付部１１０の長手端部を覆う側板１２０と、器具本体１００の外部から引き込まれた図示しない電源線が挿し込まれる端子台１３０と、光源ユニット２００を保持する為のバネ１４０とを備えている。
【００１５】
図４に示すように、取付部１１０は、長手方向Ｘに沿って形成され光源ユニット２００が挿入される収容凹部１１１と、短手方向Ｙにおいて収容凹部１１１の両側に設けられる鍔部１１２、傾斜部１１３とを備えている。
【００１６】
図４および図５に示すように、収容凹部１１１は、長手方向Ｘに沿って長尺且つ矩形板状に形成された底部１１１ａと、底部１１１ａの長手側辺それぞれから底部１１１ａと直交する方向に延出する一対の側部１１１ｂとを有する凹形状をなし、光源ユニット２００の一部を収納する。
【００１７】
収容凹部１１１は、底部１１１ａと対向する位置に光源ユニット２００が挿入される開口１１１ｃが形成される。開口１１１ｃは図５に示す仮想点線Ａの位置に設けられている。
【００１８】
底部１１１ａには、商用電源から電力供給をうける為の図示しない電源線を引き込む電源引込孔１１１ａａと、固定具により被取付部へ固定する為の固定孔１１１ａｂが形成されている。
【００１９】
図５に示すように、鍔部１１２は、一対の側部１１１ｂの底部１１１ａと反対側の長手側辺それぞれから互いに離れるように対に形成されている。つまり、鍔部１１２は、収容凹部１１１の開口１１１ｃの両側に併設されており、短手方向Ｙにおける開口１１１ｃの短手方向Ｙにおける縁であり、短手開口縁ともいう。
【００２０】
図５に示すように、傾斜部１１３は、短手方向Ｙにおいて収容凹部１１１の両側に設けられている。
傾斜部１１３は、鍔部１１２の長手側辺より、上方向Ｚ１へ且つ収容凹部１１１から離れるように形成されている。
【００２１】
図４に示すように、側板１２０は、長手方向Ｘにおける取付部１１０の両端に配設されており、収容凹部１１１と傾斜部１１３を覆っている。
側板１２０は、収容凹部１１１と傾斜部１１３の長手方向Ｘの端部を覆う側板本体部１２１と、側板本体部１２１の下方向Ｚ２側の側辺から開口１１１ｃ側へ突設した側板鍔部１２２を有している。この側板鍔部１２２は、鍔部１１２と併設し、長手方向Ｘにおける開口１１１Ｃの縁であり、長手開口縁ともいう。側板鍔部１２２は、一部が鍔部１１２と段差を有し、重なるように併設されても良い。
【００２２】
図４に示すように、端子台１３０は、収容凹部１１１の底部１１１ａに固定されており、電源引込孔１１１ａａから引き込まれた図示しない電源線と接続し、商用電源から供給される電力を光源ユニット２００に供給する。
端子台１３０は、矩形箱状に形成された端子台本体部１３１と、電源ユニット２００に電気的に接続する為の端子台接続部１３２とを備えている。
端子台接続部１３２は、端子台電線１３２ａと、端子台電線１３２ａの先端に設けられた端子台コネクタ１３２ｂを備えている。
【００２３】
図４に示すように、バネ１４０は、収容凹部１１１の底部１１１ａに、長手方向Ｘに沿って対になるよう２つ配設されている。バネ１４０は、光源ユニット２００を器具本体１００に取り付けする取付機構の１つであり、後述する連結金具２６０と係合するものである。
バネ１４０は、ステンレス材料や、バネ鋼材などの弾性材料で形成され、図６に示すように底部１１１ａに固定されるバネ固定部１４１と、円弧形状をしたバネ円弧部１４２と、バネ円弧部１４２の先端に設けられ後述する連結金具２６０に引掛けられるバネ先端部１４３が設けられている。
また、対になるバネ１４０は、バネ先端部１４３が互いに反対方向を向くように底部１１１ａに配設されている。
なお、バネ１４０は、板材の弾性材料を曲げて形成しても良く、線材の弾性材料を曲げて形成しても良い。
【００２４】
図７から図１２を参照して、光源ユニット２００の各部の構成を説明する。
図７および図８に示すように、光源ユニット２００は、複数の発光素子を有する発光体２１０と、この発光体２１０が取付けられるフレーム２２０と、発光体２１０を覆うようにしてフレーム２２０に取り付けられるカバー２３０と、光源ユニット２００の長手方向Ｘの端部に配設される蓋２４０を備えている。
また、光源ユニット２００は、発光体２１０に所定の点灯電力を供給する電源装置２５０と、バネ１４０と係合する連結金具２６０とを備えている。
なお、フレーム２２０およびカバー２３０は、図３に示すように、一部が開口１１１ｃより収容凹部１１１に挿入される。その為、フレーム２２０およびカバー２３０の長手方向Ｘにおける長さは、対向する蓋鍔部１２２の端部間の長さに対して、挿入できる隙間を有して略同じ長さに形成されている。このフレーム２２０およびカバー２３０と蓋鍔部１２２の間にできる隙間は蓋２４０により塞がれる。
【００２５】
図８に示すように、発光体２１０は、長手方向Ｘに沿って長尺に形成された基板２１１と、基板２１１に長手方向Ｘに沿って直線状に実装される複数の発光素子２１２とを備えている。なお、発光素子２１２を直線状に実装する列は一列でも良く、複数列でも良い。
また、発光体２１０の長手方向の一端部には、電源装置２５０との間を電気的に接続するための図示しない電線が接続されている。この電線が電源装置２５０に接続することで、発光体２１０と電源装置２５０が電気的に接続される。
なお、発光素子２１２は、例えば表面実装タイプのＬＥＤ素子であるが、ＣＯＢ（チップオンボード）型発光モジュールでも良く、有機ＥＬ素子でも良い。
【００２６】
図８および図９に示すように、フレーム２２０は、長手方向Ｘに沿って長尺且つ矩形板状に形成されたフレーム底部２２１と、フレーム底部２２１の長手側辺それぞれからフレーム底部２２１と直交する方向に延出する一対のフレーム側部２２２とで構成されている。
また、各フレーム側部２２２の先端には曲げ加工されて形成された側部端部２２２ａがそれぞれ設けられている。
【００２７】
図８および図９に示すように、カバー２３０は、発光体２１０を覆うように長尺に形成されフレーム２２０に取り付けられるとともに、乳白色のアクリル樹脂など拡散性を有する材料により形成され、発光体２１０から照射される光を拡散するものである。
また、カバー２３０は図９に示すように、短手方向Ｙにおいて、発光体２１０を覆う外層部２３１と、外層部２３１の各端部より互いに近づくように突設する対になるカバー底部２３２と、対になるカバー底部２３２の各端部より取付部側部２２２に沿って延出するカバー側部２３３と、対になるカバー底部２３２の各端部より取付部底部２２１に沿って延出するカバー内突部２３４を有している。
カバー２３０は、外層部２３１、カバー底部２３２、カバー側部２３３およびカバー内突部２３４が長手方向Ｘへ連続するように形成されている。
なお、カバー２３０は、接着剤または熱溶着などにより各部を接合して形成しても良いが、押出し成形により各部を連続的に一体に形成することでき、製作作業を簡易化することができる。
【００２８】
外層部２３１は、発光体２１０が照射する光を拡散し透過させるものであり、短手方向Ｙにおいて、両側に設けられた外層端部２３１ａを端部として、外層端部２３１ａから中央側に行くほど発光部２１０から離れるように突出する略円弧形状をしている。外層部２３１は、図３に示すように、光源ユニット２００を器具本体部１００に取り付けられた状態において、鍔部１１２および開口１１１ｃに対して隙間がないように配置されている。
なお、外層部２３１は、略円弧形状と説明したが、光源ユニットの配光に応じて直線と曲線から形成される形状でも良く、直線のみから形成される形状であっても良い。
【００２９】
カバー底部２３２は、短手方向Ｙにおける円弧部２３１の各端部より互いに近づくよう対に形成されている。
延出部２３２は、図３に示すように、光源ユニット２００を器具本体１００に取り付けた状態で器具本体１００の鍔部１１２と当接する。
【００３０】
カバー側部２３３は、対になるカバー底部２３２の各端部より、フレーム２２０のフレーム側部２２２の外側の面に沿って対になるように形成されている。対になるカバー側部２３３は短手方向Ｙにおいて、フレーム２２０を挟み保持する。
また、カバー側部２３３は、カバー底部２３２と反対の先端に、フレーム２２０の側面端部２２２ａを覆い係合する係合端部２３３ａを有している。
【００３１】
カバー内突部２３４は、対になるカバー底部２３２の各端部より、フレーム２２０のフレーム底部２２１に沿って互い近づくように対に形成されている。
このカバー内突部２３４と係合部２３３ａは、上下方向Ｚにおいてフレーム保持部２２０を挟み保持する。
【００３２】
図７および図１０に示すように蓋２４０は、光源ユニット２００の長手方向Ｘにおける端部に設けられ、カバー２３０の長手方向Ｘの開口を塞ぐとともに、発光体２１０が照射する光を長手方向Ｘへ配光するものである。蓋２４０は、アクリル樹脂など透過性、拡散性を有する材料により形成されており、カバー２３０と接着剤、熱溶着などの接合手段により接合されている。
蓋２４０は、カバー２３０の端部に設けられ、外層部２３１と隣接する蓋外層部２４１と、蓋外層部２４１の両端の間に形成された蓋底部２４２と、蓋外層部２４１と蓋底部２４２に囲まれた面を塞ぐ蓋端部２４３と、蓋外層部２４１の短手方向Ｙにおける両端側より互いに近づくように窪んだ対になる把持部２４５とを有している。
なお、蓋２４０は、接着剤または熱溶着などにより各部を接合して形成しても良いが、射出成形により各部を一体に形成することでき、製作作業を簡易化することができる。
【００３３】
蓋外層部２４１は、長手方向Ｘにおいて、カバー２３０の外層部２３１と隣接するものであり、外層部２３１と連続するように形成された形状をしている。蓋外層部２４１は、光源ユニット２００が器具本体１００に取り付けられた状態において、側板鍔部１２２を覆っている。
なお、長手方向Ｘにおいてカバー２３０の外層部２３１と連続する形状とは、製作するうえで発生する、接着作業の接着塗布面の巾、成形公差、熱による変形などの課題を解決する為の段差および傾斜は連続する形状として含むものとする。
【００３４】
蓋底部２４２は、短手方向Ｙにおいて、蓋外層部２４１の端部を連結するように設けられており、光源ユニット２００が器具本体１００に取り付けられた状態において、側板鍔部１２２に当接する。
【００３５】
蓋端部２４３は、蓋外層部２４１と蓋底部２４２に囲まれた面を塞ぐものであり、長手方向Ｘにおいて、光源ユニット２００の端面となる。
【００３６】
把持部２４４は、器具本体１００に対して光源ユニット２００を脱着させるときに、作業者が掴むことができる箇所である。
蓋外層部２４１の短手方向Ｙにおける両端側より互いに近づくように対に形成されており、蓋外層部２４１、蓋底部２４２および蓋端面２４３の一部を略四角形状に切り欠いたような形状をしている。つまり、把持部２４５は、外層部２３１に対して凹状に変形した形状であり、外層部２３１が長手方向Ｘにおいて連続しない形状である。
【００３７】
図７に示すように、電源装置２５０は、フレーム底部２２１の発光体２１０が取り付けられた面の反対側の面に固定される。
電源装置２５０は、端子台１３０を介して商用電源からの電力を発光体２１０に供給し、発光体２１０を点灯させるものであり、図示しない電源回路が内蔵され長尺形状をした電源本体部２５１と、端子台接続部１３２と接続する電源接続部２５２を備えている。
電源接続部２５２は、電源電線２５２ａと、電源電線２５２ａの先端に設けられ端子台コネクタ１３２ｂと接続する電源コネクタ２５２ｂを備えている。
【００３８】
図７に示すように、連結金具２６０は、略L形状をしており、連結金具２６０は、金具固定部２６１、バネ連結部２６２を備えている。連結金具２６０は、光源ユニット２００を器具本体１００に取り付けする取付機構の１つであり、バネ１４０と係合するものである。
なお、金具固定部２６１は保持底面部２２１にネジなどに固定され、バネ連結部２６２はバネ１４０が引っ掛けられる連結開口部２６２ａが形成されている。
【００３９】
光源ユニット２００は、器具本体１００に取り付けられたときに、外層部２３１が長手方向Ｘに連続するように形成され器具本体部１００の開口１１１ｃと鍔部１１２を隙間がないように覆い、長手方向Ｘにおいて外層部２３１と連続するように形成された蓋外層部２４１が側板鍔部１２２を覆い、外層部２３１に対して凹状に変形した形状である把持部２４４が蓋外層部２４１の一部に形成されていることで、光源ユニット２００は器具本体部１００と隙間がないように取り付けられる。
つまり、光源ユニット２００は、器具本体１００に取り付けられた状態において、開口１１１ｃと短手開口縁を覆う外層部２３１が長手方向Ｘに連続して形成された第一の面と、開口１１１ｃと長手開口縁を覆う蓋外層部２４１であり、第一の面と隣接する第二の面とを有していることで、器具本体１００に隙間がないように取り付けられる。
よって、光源ユニット２００は、隙間がないよう器具本体１００に取り付けられることで、光源ユニット２００を発光させたときに、器具本体１００と光源ユニット２００の間が暗くなるのを防ぎ、見栄えを向上することができる。
【００４０】
また、光源ユニット２００は、蓋外層部２４１である第二の面に把持部２４４を有することにより、第一の面であるカバー２３０の外層部２３１に掴む為の凹形状もしくは凸形状を設けずに良く、見栄えを向上させることができる。更に、発光体２１０から照射される光が、掴む為の凹形状もしくは凸形状に入射し、意図しない方向へ照射され起こる光ムラ、光束低下も抑制することができる。
【００４１】
図１２を参照して、器具本体１００へ光源ユニット２００を装着される作業の概要を説明する。図１２において、
（ａ）は、器具本体１００に光源ユニット２００が取り付けられる前の状態を示す。
（ｂ）は、作業者が光源ユニット２００の連結金具２６０の連結開口部２６２ａにバネ１４０のバネ先端部１４３に引っ掛けた状態を示す。
（ｃ）は、バネ円弧部１４２が連結金具２６０の連結開口部２６２ａに対して摺動する状態を示す。
（ｄ）は、器具本体１００に光源ユニット２００が取り付けられた状態を示す。
【００４２】
はじめに、図１２の（ａ）において、光源ユニット２００は器具本体１００に取り付けられてない状態であり、バネ１４０のバネ先端部１４３は器具本体１００の底面１１１ａに当接している。
【００４３】
次に、図１２の（ｂ）において、作業者がバネ１４０のバネ円弧部１４２がバネ固定部１４１に対して下方向Ｚ２に弾性変形させ、バネ先端部１４３を、連結金具２５０の連結開口部２６２ａに引っ掛ける。
連結金具２５０の連結開口部２６２ａにバネ先端部１４３が引っ掛けられることで、光源ユニット２００は器具本体１００に吊り下げられた状態になる。
また、バネ１４０は、図４に示すように、器具本体１００の長手方向Ｘの両端に配置されている。作業者は反対側のバネ１４０も同様に操作することで、光源ユニット２００は器具本体１００に対して略平行な状態で保持できる。このとき、端子台コネクタ１３２ｂと電源コネクタ２５２ｂを接続する。
【００４４】
次に、図１２の（ｃ）において、作業者が光源ユニット２００の把持部２４４を持ち、上方向Ｚ１である被取付部側に押し上げると、バネ１４０の弾性変形状態が解除され、バネ１４０のバネ円弧部１４２が、連結金具２６０の連結開口部２６２ａに対して摺動し、光源ユニット２００を引き上げる。
【００４５】
次に、図１２の（ｄ）において、作業者が、器具本体１００に光源ユニット２００を差し込むことで、光源ユニット２００は器具本体１００へ装着がされる。
なお、このとき、カバー２３０のカバー底部２３２が器具本体部１００の鍔部１１２に当接し、蓋部２４０の蓋底部２４２が器具本体部１００の側板鍔部１２２に当接することで、バネ１４０の弾性力に対向し、光源ユニット２００が器具本体１００に隙間がないように取り付けられる。
また、光源ユニット１００は、鍔部１１２が第一の底部となり鍔部１１２と当接し、蓋底部２４２が第二の底部となり側板鍔部１２２に当接することで、器具本体１００への固定状態が安定する。
なお、光源ユニット２００が略平行な状態で保持された後に、器具本体１００へ押し上げる取り付け作業に関して説明を行ったが、長手方向Ｘにおいて片側毎に取り付けをしても良い。
【００４６】
光源ユニット２００の器具本体１００からの取り外す手順は、装着するときと逆の手順により取り外すことができる。
はじめに、図１２の（ｄ）の状態から、作業者は、光源ユニット２００の把持部２４４を保持し、図１２の（ｂ）の状態まで引き下げる。
なお、作業者は、光源ユニット２００の長手方向Ｘの各端部に設けられた把持部２４４の両方を同時に引き下げても良いが、一方の把持部２４４を保持し片側を引き下げた後に、他方の把持部２４４を保持し他方側を引き下げると、より容易に光源ユニット２００を引き下げることができる。
【００４７】
次に、図１２の（ｂ）の状態において、作業者は連結金具２５０の連結開口部２５２ａにバネ１４０のバネ先端部１４３が係止している状態を解除し、光源ユニット２００を器具本体１００から取り外す。
なお、作業者は、光源ユニット２００の長手方向Ｘの各端部に設けられた把持部２４４の両方を同時に引き下げても良いが、一方の把持部２４４を保持し片側を引き下げた後に、他方の把持部２４４を保持し他方側を引き下げると、より容易に光源ユニット２００を引き下げることができる。
【００４８】
光源ユニット２００は、長手方向Ｘの端部に把持部２４４を有する蓋２４０が設けられていることで、光源ユニット２００を器具本体１００への脱着作業において、光源ユニット２００を掴みやすく、容易に脱着ができる。
また、把持部２４４は、光源ユニット２００の長手方向Ｘの端部に設けられる蓋２４０の一部に形成されていることで、見栄えへの影響を抑制することができる。
【００４９】
本実施の形態では、光源ユニット２００は、器具本体１００に取り付けられた状態にて、器具本体部１００の開口１１１ｃと鍔部１１２を隙間がないように覆っている外層部２３１が長手方向Ｘに連続して形成された第一の面と、光源ユニット２００の各端部に設けられる蓋２４０の蓋外層部２４１であって第一の面と隣接する第二の面と、第二の面の一部に把持部２４４とを有していることで、光源ユニット２００と器具本体１００との間に隙間ができるのを防ぎ、隙間による暗がりを抑制し見栄えを向上する。また、把持部２４４により光源ユニット２００を器具本体１００から容易に脱着することができる。
【００５０】
本実施の形態では、光源ユニット２００は、把持部２４４が第二の面に設けられていることで、外層に設けられる凹形状もしくは凸形状を減らし、見栄えを良くすることができる。よって、長手方向全長に亘って窪みがカバーに設けられたものよりも見栄えを向上することができる。また、把持部２４４が光源ユニット２００への配光への干渉も抑制される。
【００５１】
本実施の形態では、照明器具１は、光源ユニット２００が把持部２４４を有していることにより、光源ユニット２００の脱着作業において、光源ユニット２００と収容凹部１１１との間、もしくは光源ユニット２００と鍔部１１２および側板鍔部１２２との間に指などを挟むことを防止できるので、作業の安全性を向上することができる。
【００５２】
図１３から図１７を参照して、本実施の形態の変形例である光源ユニット２００Ａ、２００Ｂ、２００Ｃ、２００Ｄを説明する。光源ユニット２００Ａ等は、光源ユニット２００に対してカバー２３０の把持部２４４の形状が異なる。
【００５３】
図１３は、光源ユニット２００Ａ，蓋２４０Ａを示す。本実施の形態の変形例として、図１３に示すような蓋２４０Ａを備えた光源ユニット２００Ａでも良い。
蓋２４０Ａは、蓋外層部２４１ａと蓋底部２４２ａと蓋端部２４３ａの交点となる端部を切り欠いたような傾斜面を有する把持部２４４ａを有している。光源ユニット２００Ａは、交点となる端部を切り欠いたような傾斜面である把持部２４４ａを有することにより、より見栄えを向上することができる。
【００５４】
図１４は、光源ユニット２００Ｂ，蓋２４０Ｂを示す。本実施の形態の変形例として、図１４に示すような蓋２４０Ｂを備えた光源ユニット２００Ｂでも良い。
蓋２４０Ｂは、蓋外層面２４１ｂの蓋底部２４２ｂ側において、短手方向Ｙに亘って形成された把持部２４４ｂを有している。光源ユニット２００Ｂは、短手方向Ｙに亘って形成された把持部２４４ｂを有していることで掴みやすく、光源ユニット２００の着脱作業をより容易にすることができる。
なお、把持部２４４ｂは短手方向Ｙに亘って形成されているものであれば、傾斜形状でも良く、曲線形状でも良い。
【００５５】
図１５は、光源ユニット２００Ｃ，蓋部２４０Ｃを示す。本実施の形態の変形例として、図１５に示すような蓋部２４０Ｃを備えた光源ユニット２００Ｃでも良い。
光源ユニット２００Ｃは、短手方向Ｙにおいて、蓋外層部２４１ｃの略中央より蓋底部２４２ｃ側へ蓋端部２４３ｃに形成された把持部２４４ｃを有している。
把持部２４４ｃは、光源ユニット２００Ｃの下方向Ｚ２から、光源ユニット２００Ｃを掴むことができるものである。光源ユニット２００Ｃは、把持部２４１ｃを有していることにより、複数の光源ユニット２４０Ｃが長手方向Ｘにおいて隣接する、もしくは埋め込み型器具のように光源ユニット２４０Ｃの長手方向側方に器具本体の側面が配置されるなど、掴む空間が狭いときにも光源ユニット２００Ｃを掴むことができる。
【００５６】
図１６は、光源ユニット２００Ｄ，蓋部２４０Ｄを示す。本実施の形態の変形例として、図１６に示すような蓋部２４０Ｄを備えた光源ユニット２００Ｄでも良い。
蓋部２４０Ｄは、蓋外層部２４２ｄの一部に凹形状に形成された把持部２４５ｄを有している。光源ユニット２００Ｄは、把持部２４５ｄが蓋外層部２４２ｄの一部のみに凹形状に形成されていることで、蓋底部２４２ｄが側板鍔部１２２当接する範囲が増え光源ユニット２００Ｄの固定をより強固にすることができる。第二の面の長手方向Ｘの全面において側板鍔部１２２を覆うことができる。
【００５７】
図１７は、光源ユニット２００Ｅ，蓋部２４０Ｅを示す。本実施の形態の変形例として、図１７に示すような蓋部２４０Ｅを備えた光源ユニット２００Ｅでも良い。
蓋部２４０Ｅは、蓋外層部２４２ｅの一部に凸形状に形成された把持部２４５ｅを有している。光源ユニット２００Ｅは、把持部２４５ｅが蓋外層部２４２ｅの一部より凸状に形成されていることで、光源ユニット２００Ｅをより掴みやすくなっている。なお、図１７では把持部２４５ｅは、短手方向Ｙにおいて両側に各１つ形成されているが、複数個形成されていても良い。
【００５８】
なお、図１３から図１７を参照して、本実施の形態の変形例に関して説明を行ったが、図１３から図１７以外にも、把持部２４４の表面に凹凸を設けるようなものでも良い、表面に設けられた凹凸は滑り止めとなり、光源ユニット２００をより掴みやすくすることができる。
【００５９】
図１８の（ａ）及び（ｂ）は、器具本体１００とは異なるタイプの器具本体１００Ａ、器具本体１００Ｂを用いた照明器具を示す。本実施の形態では、器具本体１００は逆富士型形状に関して説明をおこなったが、図１８の（ａ）に示すように埋込型の器具本体１００Ａでも良いし、図１８の（ｂ）に示すようにトラフ型の器具本体１００Ｂでも良い。
【００６０】
なお、本実施の形態では、鍔部１１１ｂは開口１１１ｃの両側に併設した形状の説明を行ったが、光源ユニット２００のカバー底部２３２が当接するような形状であれば良く、側部１１１ｂの先端の端面などでも良い。
【００６１】
なお、本実施の形態では、バネ１４０が照明器具１の長手方向Ｘへ２箇所配置される取付機構を説明したが、長手方向Ｘの一方は引っ掛けによる係合で、もう一方がバネ部による取り付けであっても良い。
【００６２】
なお、本実施の形態では、器具本体１００にバネ１４０を設け、光源ユニット２００に連結金具２６０を設ける仕様について説明を行なったが、器具本体１００が連結金具２６０を備え、光源ユニット２００がバネ１４０を備える仕様でも良い。
【００６３】
なお、本実施の形態では、器具本体１００に端子台１３０を設け、光源ユニット２００に電源装置２５０を設ける仕様について説明を行なったが、器具本体１００が電源装置２５０を備え、光源ユニット２００が端子台１３０を備える仕様でも良く、どちらか一方が端子台１３０と電源装置２５０を備える仕様でも良い。
【００６４】
実施の形態２．
実施の形態２では、本発明の実施形態２に係る光源ユニット１０００について図１９および図２０を参照して説明する。なお、実施形態１と同一又は相当部分には同一符号を付し重複した説明は省略する。
図１９の（ａ）は本実施の形態における光源ユニットの斜視図であり、図１９の（ｂ）は図１９の（ａ）におけるＨ矢視図であり、図２０は図１９の（ａ）に示すＩ部拡大図であり、図２０の（ｂ）は図１９の（ａ）におけるＪ矢視図である。
【００６５】
本実施の形態は、カバー１１００に把持部１２００が設けられた光源ユニット１０００に関して説明を行う。
図１９に示すように光源ユニット１０００は、フレーム２２０と、フレーム２２０に取り付けられるカバー１１００と、光源ユニット１１００のＹ方向の端部を塞ぐ蓋部２４０と、電源装置２５０と、バネ部１４０と係合する連結金具２６０とを備えている。
【００６６】
カバー１１００は、長手方向Ｘにおいて外層部２３１と、カバー底部２３２と、カバー側部２３３と、カバー内突部２３４が連続的に形成されているとともに、外層部２３１とカバー底部２３２の一部には把持部１２００が形成されている。
【００６７】
把持部１２００は、短手方向Ｙにおいて、外層部２３１に対して変形した形状であり、外層部２３１とカバー底部２３３が交点する箇所より内側へ窪んだ形状である。把持部１２００は、外層部２３１の長手方向Ｘへの連続を部分的に隔てるように形成されている。
また、図１９に示すように、短手方向Yにおいて、把持部１２００は連結金具２６０と隣接する箇所に形成されている。
把持部１３００が連結金具２６０と隣接するように設けられることで、光源ユニット１０００を器具本体１００から取り外すときに光源ユニット１０００への負荷を抑制すことができる。
これは、光源ユニット１０００の長手方向Ｘにおける端部を保持し、光源ユニット１０００を引っ張ると、光源ユニット１０００に連結金具２６０を支点として、長手方向Ｘにおける端部と連結金具の距離と引き下げる力による応力が付加されるが、把持部１３００を連結金具２６０の側方に設けることでこの応力を抑制し、光源ユニット１０００への負荷を軽減することができる。
【００６８】
本実施の形態では、光源ユニット１０００は、カバー１１００に短手方向Ｘにおいて、器具本体に設けられたバネ１４０と係合する連結金具２６０と隣接するように把持部１２００が設けられていることで、光源ユニット１０００を器具本体１００から取り外すときに光源ユニット１０００への負荷を抑制すことができる。
また、光源ユニット１０００は、把持部１２００はカバー１１００の連結金具２６０と隣接する箇所に部分的に設けられていることで、外層に設けられる凹形状もしくは凸形状を減らし見栄えを良くすることができる。
【００６９】
図２１を参照して、本実施の形態の変形例である光源ユニット１０００Ａを説明する。光源ユニット１０００Ａは、光源ユニット１０００に対してカバー１１００の把持部１２００の形状が異なる。
【００７０】
図２１は、光源ユニット１０００Ａ，カバー１１００Ａを示す。本実施の形態の変形例として、図２１に示すようなカバー１１００Ａを備えた光源ユニット１０００Ａでも良い。
カバー１１００Ａは、長手方向Ｘに連続に形成された外層部２３１ａの一部のみに把持部１２００ａが形成されている。光源ユニット１０００Ａは、把持部１２００ａが外層部２３１ａのみに形成されていることで、光源ユニット１０００が長手方向Ｘにおける全長に亘って、器具本体１００に隙間がないように取り付けられることができ、より見栄えを向上させることができる
【００７１】
なお、本実施の形態では、把持部１２００は略四角形状の凹みを図示し説明を行っているが、把持部１０００は円弧形状でも良く、凸形状でも良い。
【００７２】
以上、本発明の実施の形態について説明したが、これらの実施の形態を組み合わせて実施しても構わない。あるいは、これらの実施の形態を部分的に実施しても構わない。あるいは、これらの実施の形態を部分的に組み合わせて実施しても構わない。なお、本発明は、これらの実施の形態に限定されるものではなく、必要に応じて種々の変更が可能である。
【００７３】
以上、実施の形態１及び２において、
長尺状であり、長手方向に沿って開口１１１ｃが形成されている器具本体１００と、
器具本体１００に着脱可能かつ開口１１１ｃに重なるように取り付けられた光源ユニット２００とを有し、
光源ユニット２００は、連続した短手方向の断面の外郭形状が略同一形状であり、開口１１１ｃを覆う外層部２３１と、外層部２３１の一部の短手方向の断面が外郭形状とは異なる形状となるように形成された把持部２４４と、を備えることを特徴とする照明器具１について説明した。
【００７４】
また、器具本体１００は、開口１１１ｃの長手方向に沿って配設された長手開口縁と、開口１１１ｃの短手方向に沿って配設された短手開口縁を有し、
光源ユニット２００は、器具本体１００に着脱可能かつ開口１１１ｃに重なるように開口１１１ｃの長手開口縁と短手開口縁と当接して取り付けられることについて説明した。
【符号の説明】
【００７５】
Ｘ  長手方向、Ｙ  短手方向、Ｚ  上下方向、Ｚ１  上方向、Ｚ２  下方向、１  照明器具、１０  固定手段、１００  器具本体、１１０  取付部、１１１  収容凹部、１１１a  底部、１１１aa  電源引込孔、１１１ab  固定孔、１１１b  側部、１１１ｃ  開口、１１２  鍔部、１１３  傾斜部、１２０  側板、１２１  側板本体部、１２２  側板鍔部、１３０  端子台、１３１  端子台本体部、１３２  端子台接続部、１３２ａ  端子台電線、１３２ｂ  端子台コネクタ、１４０  バネ、１４１  バネ固定部、１４２  バネ円弧部、１４３  バネ先端部、２００  光源ユニット、２１０  発光体、２１１  基板、２１２  発光素子、２２０  フレーム、２２１  フレーム底部、２２２  フレーム側部、２２２ａ  側部端部、２３０  カバー、２３１  外層部、２３２  カバー底部、２３３  カバー側部、２３３ａ  係合端部、２３４  カバー内突部、２４０  蓋、２４１  蓋外層部、２４２  蓋底部、２４３  蓋端部、２４４  把持部、２５０  電源装置、２５１  電源本体部、２５２  電源接続部、２５２ａ  電源電線、２５２ｂ  電源コネクタ、２６０  連結金具、２６１  金具固定部、２６２  バネ連結部、２６２ａ  連結開口部、１０００  光源ユニット、１１００  カバー、１２００  把持部。
【図１】
0006696154.tif 000002
【図２】
0006696154.tif 000003
【図３】
0006696154.tif 000004
【図４】
0006696154.tif 000005
【図５】
0006696154.tif 000006
【図６】
0006696154.tif 000007
【図７】
0006696154.tif 000008
【図８】
0006696154.tif 000009
【図９】
0006696154.tif 000010
【図１０】
0006696154.tif 000011
【図１１】
0006696154.tif 000012
【図１２】
0006696154.tif 000013
【図１３】
0006696154.tif 000014
【図１４】
0006696154.tif 000015
【図１５】
0006696154.tif 000016
【図１６】
0006696154.tif 000017
【図１７】
0006696154.tif 000018
【図１８】
0006696154.tif 000019
【図１９】
0006696154.tif 000020
【図２０】
0006696154.tif 000021
【図２１】
0006696154.tif 000022